【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
差動対を構成する第１の信号入力トランジスタ及び第２の信号入力トランジスタ並びに差動対を構成する第３の信号入力トランジスタ及び第４の信号入力トランジスタを有し電圧信号である入力信号とその相補信号を電流信号に変換する電圧−電流変換部と、前記電圧−電流変換部から出力される電流信号を用いて互いに位相が９０ー異なるふたつの信号を生成するラッチ部と備えた分周器において、
前記電圧−電流変換部が、
前記第１の信号入力トランジスタにダーリントン接続されるとともに前記入力信号の相補信号をベースに入力する第５のトランジスタと、
前記第２の信号入力トランジスタにダーリントン接続されるとともに前記入力信号をベースに入力する第６のトランジスタと、
前記第３の信号入力トランジスタにダーリントン接続されるとともに前記入力信号をベースに入力する第７のトランジスタと、
前記第４の信号入力トランジスタにダーリントン接続されるとともに前記入力信号の相補信号をベースに入力する第８のトランジスタと
を備えることを特徴とする分周器。
【請求項２】
前記第１の信号入力トランジスタのコレクタと前記第６のトランジスタのコレクタとが共通接続され、前記第２の信号入力トランジスタのコレクタと前記第５のトランジスタのコレクタとが共通接続され、前記第３の信号入力トランジスタのコレクタと前記第８のトランジスタのコレクタとが共通接続され、前記第４の信号入力トランジスタのコレクタと前記第７のトランジスタのコレクタとが共通接続される請求項１に記載の分周器。
【請求項３】
前記第５のトランジスタのコレクタ、前記第６のトランジスタのコレクタ、前記第７のトランジスタのコレクタ及び前記第８のトランジスタのコレクタに定電圧が印加される請求項１に記載の分周器。
【請求項４】
差動対を構成する第１の信号入力トランジスタ及び第２の信号入力トランジスタ並びに差動対を構成する第３の信号入力トランジスタ及び第４の信号入力トランジスタを有し電圧信号である入力信号とその相補信号を電流信号に変換する電圧−電流変換部と、前記電圧−電流変換部から出力される電流信号を用いて互いに位相が９０°異なるふたつの信号を生成するラッチ部と備えた９０度移相器において、
前記第１の信号入力トランジスタ及び前記第２の信号入力トランジスタによって構成される差動対と前記第３の信号入力トランジスタ及び前記第４の信号入力トランジスタによって構成される差動対それぞれにデジェネレーション抵抗を設けることを特徴とする分周器。
【請求項５】
前記ラッチ部の出力負荷抵抗に並列接続される容量を備える請求項１〜４のいずれかに記載の分周器。
【請求項６】
請求項１〜５のいずれかに記載の分周器を有することを特徴とする携帯機器。
【手続補正２】
【補正対象書類名】明細書
【補正対象項目名】発明の名称
【補正方法】変更
【補正の内容】
【発明の名称】分周器
【手続補正３】
【補正対象書類名】明細書
【補正対象項目名】０００１
【補正方法】変更
【補正の内容】
【０００１】
本発明は、分周器に関する。
【手続補正４】
【補正対象書類名】明細書
【補正対象項目名】００２３
【補正方法】変更
【補正の内容】
【００２３】
本発明は、上記の問題点に鑑み、出力信号に含まれる高調波成分を低減することができる分周器を提供することを目的とする。
【手続補正５】
【補正対象書類名】明細書
【補正対象項目名】００２４
【補正方法】変更
【補正の内容】
【００２４】
上記目的を達成するために本発明に係る分周器においては、差動対を構成する第１の信号入力トランジスタ及び第２の信号入力トランジスタ並びに差動対を構成する第３の信号入力トランジスタ及び第４の信号入力トランジスタを有し電圧信号である入力信号とその相補信号を電流信号に変換する電圧−電流変換部と、前記電圧−電流変換部から出力される電流信号を用いて互いに位相が９０°異なるふたつの信号を生成するラッチ部と備え、前記電圧−電流変換部が、前記第１の信号入力トランジスタにダーリントン接続されるとともに前記入力信号の相補信号をベースに入力する第５のトランジスタと、前記第２の信号入力トランジスタにダーリントン接続されるとともに前記入力信号をベースに入力する第６のトランジスタと、前記第３の信号入力トランジスタにダーリントン接続されるとともに前記入力信号をベースに入力する第７のトランジスタと、前記第４の信号入力トランジスタにダーリントン接続されるとともに前記入力信号の相補信号をベースに入力する第８のトランジスタとを備える構成（以下、第一構成ともいう）としている。
【手続補正６】
【補正対象書類名】明細書
【補正対象項目名】００２５
【補正方法】変更
【補正の内容】
【００２５】
第一構成によると、前記電圧−電流変換部のトランスコンダクタンス（ｇｍ）が減少し、前記電圧−電流変換部の入出力特性の線形性が高くなる。これにより、歪電流が減り、出力電圧としてより低歪な信号を得ることができるため、分周器から出力される信号の高調波成分を低減することができる。また、第一構成によると、前記ラッチ部の動作電流が安定化するため、波形歪や高調波の発生要因となる不必要な電流を低減することができる。また、第一構成によると、前記ラッチ部に瞬時電流が大きく流れてしまうことによる誤動作がなくなるため、前記入力信号の周波数に相当する歪を抑制することができる。
【手続補正７】
【補正対象書類名】明細書
【補正対象項目名】００２６
【補正方法】変更
【補正の内容】
【００２６】
また、上記第一構成の分周器において、前記第１の信号入力トランジスタのコレクタと前記第６のトランジスタのコレクタとを共通接続し、前記第２の信号入力トランジスタのコレクタと前記第５のトランジスタのコレクタとを共通接続し、前記第３の信号入力トランジスタのコレクタと前記第８のトランジスタのコレクタとを共通接続し、前記第４の信号入力トランジスタのコレクタと前記第７のトランジスタのコレクタとを共通接続してもよい。このような構成にすることによって、前記入力信号とその相補信号における位相のずれや前記入力信号とその相補信号のデューティ比ずれによる誤差を低減することができる。
【手続補正８】
【補正対象書類名】明細書
【補正対象項目名】００２７
【補正方法】変更
【補正の内容】
【００２７】
また、上記第一構成の分周器において、前記第５のトランジスタのコレクタ、前記第６のトランジスタのコレクタ、前記第７のトランジスタのコレクタ及び前記第８のトランジスタのコレクタに定電圧を印加するようにしてもよい。このような構成にすることによって、各バイポーラ・トランジスタがフォワードバイアスとならず、入力コモンモード電圧範囲が広くなる。
【手続補正９】
【補正対象書類名】明細書
【補正対象項目名】００２８
【補正方法】変更
【補正の内容】
【００２８】
上記目的を達成するために本発明に係る分周器においては、差動対を構成する第１の信号入力トランジスタ及び第２の信号入力トランジスタ並びに差動対を構成する第３の信号入力トランジスタ及び第４の信号入力トランジスタを有し電圧信号である入力信号とその相補信号を電流信号に変換する電圧−電流変換部と、前記電圧−電流変換部から出力される電流信号を用いて互いに位相が９０ー異なるふたつの信号を生成するラッチ部と備え、前記第１の信号入力トランジスタ及び前記第２の信号入力トランジスタによって構成される差動対と前記第３の信号入力トランジスタ及び前記第４の信号入力トランジスタによって構成される差動対それぞれにデジェネレーション抵抗を設ける構成（以下、第二構成ともいう）とする。
【手続補正１０】
【補正対象書類名】明細書
【補正対象項目名】００２９
【補正方法】変更
【補正の内容】
【００２９】
第二構成によると、前記デジェネレーション抵抗の抵抗値を適切に設定することによって、前記電圧−電流変換部の入出力特性の線形性を高くすることができる。そして、前記電圧−電流変換部の入出力特性の線形性を高くすることによって、歪電流が減り、出力電圧としてより低歪な信号を得ることができるため、分周器から出力される信号の高調波成分を低減することができる。また、第二構成によると、前記ラッチ部の動作電流が安定化するため、波形歪や高調波の発生要因となる不必要な電流を低減することができる。また、第二構成によると、前記ラッチ部に瞬時電流が大きく流れてしまうことによる誤動作がなくなるため、前記入力信号の周波数に相当する歪を抑制することができる。
【手続補正１１】
【補正対象書類名】明細書
【補正対象項目名】００３０
【補正方法】変更
【補正の内容】
【００３０】
また、上記いずれかの構成の分周器において、前記ラッチ部の出力負荷抵抗に並列接続される容量を備えるようにしてもよい。このような構成にすることによって、分周器が出力する信号の高調波成分及びコモンモードノイズの低減を図ることができる。
【手続補正１２】
【補正対象書類名】明細書
【補正対象項目名】００３１
【補正方法】変更
【補正の内容】
【００３１】
本発明によると、出力信号に含まれる高調波成分を低減することができる分周器を実現することができる。
【手続補正１３】
【補正対象書類名】明細書
【補正対象項目名】００６８
【補正方法】変更
【補正の内容】
【００６８】
また、本発明に係る分周器は、フリップフロップを用いた構成に限定されない。すなわち、本発明に係る分周器は、クロックのタイミングを利用して、所望の信号を得るＮＯＲ回路やＮＡＮＤ回路等を用いた構成にすることも可能である。